(57)【要約】【課題】  支柱本体に傾斜方向の荷重が作用しても床や梁等のフランジから外れるのを防止できる支柱装置を提供することである。【課題解決手段】  支柱本体１と、上記支柱本体１の下端に取付けた挟持部材２と、上記支柱本体１の上端又は胴部に設けた手摺又はロープ用の取付け部材３と、からなり、上記挟持部材２を介して床又は梁のフランジＨに上記支柱本体１を起立する支柱装置において、  上記挟持部材２を上片３Ａと下辺３Ｂとを備えた側面コ字状の固定金具３と、上記上辺３Ａに上下移動自在に取付けた締付部材４と、上記締付部材４の下端に上記下辺３に対向して設けた皿６と、上記皿６の下部に設けたスプリング７とで構成したことを特徴とする装。【選択図】図１
2018087450.tif 000002
【特許請求の範囲】
【請求項１】
支柱本体（１）と、上記支柱本体（１）の下端に取付けた挟持部材（２）と、上記支柱本体（１）の上端又は胴部に設けた手摺又はロープ用の手摺保持部材（Ｘ）と、からなり、上記挟持部材（２）を介して床又は梁のフランジ（Ｈ）に上記支柱本体（１）を起立する支柱装置において、
上記挟持部材（２）を上片（３Ａ）と下辺（３Ｂ）とを備えた側面コ字状の固定金具（３）と、上記上辺（３Ａ）に上下移動自在に取付けた締付部材（４）と、上記締付部材（４）の下端に上記下辺（３）に対向して設けた皿（６）と、上記皿（６）の下部に設けたスプリング（７）とで構成したことを特徴とする支柱装置。
【請求項２】
上記締付部材（４）が上記上辺（３Ａ）を貫通しながら当該上辺（３Ａ）から起立する中空な外筒（８）と、上記外筒（８）内に上下スライド自在に挿入された内筒（１０）と、上記外筒（８）の蓋（８Ａ）と上記内筒（１０）に設けたナット（１０Ａ）とに回転自在に挿入したボルト（９）と、上記ボルト（９）に螺合した弛み止めナット（１１Ｂ）とから構成され、上記内筒（１０）の下端に皿（６）が取り付けられている請求項１に記載の支柱装置。
【請求項３】
上記締付部材（４）が上記上辺（３Ａ）に固定したナット（１４）と、上記ナット（１４）に螺合されながら上記上辺（３Ａ）を上下移動自在に貫通するボルト（１５）と、上記ボルト（１５）に螺合した弛み止めナット（１３）とから構成され、上記皿（６）を上記ボルト（１５）の下端に取付けている請求項１に記載の支柱装置。
【請求項４】
上記スプリング（７）が板バネ（７Ａ）、（７Ｂ）からなる請求項１〜３のいずれか１項に記載の支柱装置。
【請求項５】
上記スプリング（７）がコイルスプリング（７Ｃ）からなる請求項１〜３のいずれか１項に記載の支柱装置。
【発明の詳細な説明】
【技術分野】
【０００１】
本発明は、支柱装置に関し、特に、建築物の建築現場、橋梁等の構築現場における手摺用の縦支柱としての利用に適する支柱装置に関する。
【背景技術】
【０００２】
一般に、ビルディング等の建築物の建築現場、橋梁等の構築物の構築現場におけるＨ鋼等からなる梁のフランジに複数の縦支柱を起立し、これらの縦支柱に横方向に沿って手摺やロープを取付け、またこの手摺やロープに命綱を取付けたガイドをスライド自在に挿入した手摺装置が使用されている。
【０００３】
この手摺装置は作業者がＨ鋼のフランジ上又はＨ鋼に近接した通路を歩行する時の安全を図るものである。
【０００４】
上記手摺用の縦支柱として利用する支柱装置は、支柱本体と、支柱本体の下端に一体に設けた挟持部材と、支柱本体の上端又は中間に設けた手摺保持部材とを備えており、挟持部材を介して支柱本体をＨ鋼のフランジ上に起立させ、手摺保持部材に水平方向の手摺を挿入させているのが一般的である。
【０００５】
上記の手摺装置における挟持部材としては、例えば、特許文献１に示すタイプのものが使用されている。
【０００６】
この挟持部材は側面コ字状の固定金具と、この固定金具に上下移動自在に挿入したボルトとからなるもので、固定金具をＨ鋼のフランジの端部に差し込み、次いで固定金具の下片とボルトとでフランジを挟持し、フランジ上に支柱本体を起立させるものである。
【０００７】
しかしながら、この挟持部材ではボルトでフランジの上面を押圧するからボルトをねじ込む時ボルトの端部でフランジを損傷させる恐れがある不具合がある。
【０００８】
この為、例えば、特許文献２に示すように、ボルトの下端にゴム等の滑り止め部材を埋め込んだ皿を取付け、この皿と固定金具の下片とで床や梁等のフランジを挟持する挟持部材も利用されている。
【先行技術文献】
【特許文献】
【０００９】
【特許文献１】特開平６−４７１０４号公報（要約、図２参照）
【特許文献２】特開２００４−３３２４１２号公報（段落００３４，００３５、図３参照）
【発明の概要】
【発明が解決しようとする課題】
【００１０】
上記特許文献２に開示されている支柱装置は構造上欠陥があるわけではないが、次のような不具合の改善が望まれている。
【００１１】
上記のように、従来の支柱装置では挟持部材を介してフランジ上に支柱本体を起立し、通常この支柱本体に手摺を取付けているが、この手摺に命綱を取付けたガイドを挿入し、或いは支柱本体に直接命綱を取付けて作業者の歩行の安全を図る場合がある。
【００１２】
しかしながら、このような仕様の場合、何らかの原因で作業者が通路から足を踏み外して落下した場合、作業者の体重が命綱を介して支柱本体に作用し、下端の挟持部材を支点として支柱本体が傾斜する。
【００１３】
この時、支柱本体の傾斜方向がフランジ側であれば支柱本体がフランジから抜け落ちることはほとんど無いが、傾斜方向がフランジの外側である場合、挟持部材がフランジから外れ、その結果支柱本体が梁から抜け落ち、歩行者が地上側に落下する恐れがある。
【００１４】
即ち、支柱本体が歩行者の体重で引っ張られてフランジの外側に傾斜した場合、挟持部材も同じ傾斜方向に引っ張られる。
【００１５】
その結果コ字状の固定金具や皿が変形し、特に固定金具の変形時に上辺が斜めに傾斜して浮き上がり、皿とフランジとの間に隙間が発生し、挟持部材が傾斜方向に引っ張られた時フランジから外れ、支柱装置全体が落下し、その結果作業者が地上に落下してしまう恐れがあり、その改善が望まれている。
【００１６】
そこで、本発明の目的は、支柱本体に傾斜方向の荷重が作用しても床や梁等のフランジから外れるのを防止できる支柱装置を提供することである。
【課題を解決するための手段】
【００１７】
上記の目的を達成するため、本発明の手段は、支柱本体と、上記支柱本体の下端に取付けた挟持部材と、上記支柱本体の上端又は胴部に設けた手摺又はロープ用の取付け部材と、からなり、上記挟持部材を介して床又は梁のフランジに上記支柱本体を起立する支柱装置において、上記挟持部材を上片と下辺とを備えた側面コ字状の固定金具と、上記上辺に上下移動自在に取付けた締付部材と、上記締付部材の下端に上記下辺に対向して設けた皿と、上記皿の下部に設けたスプリングとで構成したことを特徴とする。
【発明の効果】
【００１８】
各請求項の発明によれば、皿の下部にスプリングを取付けているので、外部荷重で支柱本体と挟持部材とが強制的に傾斜方向に引っ張られ、その結果固定金具や皿が変形して皿とフランジとの間に隙間が発生しても、スプリングがバネ力で伸長して常時フランジに当接して突っ張っているので挟持部材がフランジから外れるのを防止でき、支柱装置全体がフランジから脱落するのを防止できる。
【００１９】
その為、命綱を介して支柱装置に支えられた建築、構築現場の作業者が床や梁からの落下を確実に防止できる。
【図面の簡単な説明】
【００２０】
【図１】本発明の一実施の形態に係る支柱装置を利用した手摺装置の斜視図である。
【図２】本発明の一実施の形態に係る支柱装置の側面図である。
【図３】本発明の一実施の形態に係る支柱装置に命綱取付け用のロープを取付けた手摺装置の正面図である。
【図４】他の実施の形態に係る支柱装置の側面図である。
【図５】本発明の一実施の形態に係る支柱装置における挟持部材の拡大縦断側面図である。
【図６】図５に示す挟持部材の斜視図である。
【図７】同じく図５に示す挟持部材の分解斜視図である。
【図８】Ａ）本発明の一実施の形態に係る挟持部材における固定金具と外筒の平面図である。Ｂ）同じく側面図である。Ｃ）Ａ−Ａ線横断平面図である。
【図９】Ａ）本発明の一実施の形態に係る挟持部材における内筒と皿の平面図である。Ｂ）同じく内筒と皿とスプリングの側面図である。Ｃ）同じく皿とスプリングの底面図である。
【図１０】本発明の一実施の形態に係る挟持部材におけるボルトの側面図である。
【図１１】Ａ）  本発明の他の実施の形態に係る挟持部材の側面図である。Ｂ）  同じく皿と板バネの底面図である。
【図１２】本発明の他の実施の形態に係る挟持部材を利用した支柱装置の側面図である。
【図１３】Ａ）本発明の他実施の形態に係る挟持部材の側面図である。
【００２１】
Ｂ）同じく皿とコイルスプリングの低面図である。
【発明を実施するための形態】
【００２２】
以下本発明の実施の一例を図に基づいて説明する。
【００２３】
本発明の実施の形態に係る支柱装置Ｐが図２、図５、図１１、図１３に示されている。
【００２４】
これらの各実施の形態に係る支柱装置Ｐの基本形態は、支柱本体１と、支柱本体１の下端に取付けた挟持部材２と、支柱本体１の上端、胴部又はその両方に設けた手摺又はロープ用の手摺保持部材Ｘとから構成され、上記挟持部材２を介して床又は梁ＷのフランジＨＡに上記支柱本体１を起立するものである。
【００２５】
そして、上記挟持部材２を上片３Ａと下辺３Ｂとを備えた側面コ字状の固定金具３と、上辺３Ａに上下移動自在に取付けた締付部材４と、締付部材４の下端に下辺３に対向して設けた皿６と、皿６の下部に設けた板バネ７Ａからなるスプリング７とで構成している。
【００２６】
図１、図３は本発明の一実施例に係る支柱装置Ｐを利用した手摺装置Ｔを示す。
【００２７】
図１の手摺装置Ｔは支柱装置Ｐに手摺Ｖを取付けた実施の一例を示している。
【００２８】
図３の他の手摺装置Ｔは支柱装置Ｐに板バネからなるブラケットＭに手摺を兼ねたロープＮを取付け、またブラケットＭに命綱を取付けるようになっている。
【００２９】
この場合、ロープＮにスライド自在なガイドを介して命綱を取付けても良い。
【００３０】
上記の手摺装置Ｔは公知のように、ビルディング等の建築物、橋梁等の構築部物の作業現場における床、梁、通路等の脇に沿って設けられ、作業者がこの床、梁、通路等を歩行する時転倒し、あるいは、地上に落下するのを防止して安全性を図るものである。
【００３１】
図１、図３に示す手摺装置Ｔは、建築部、構築物の建築、構築現場における通路に近接して設けた被取付け部材たるＨ鋼Ｗからなる梁のフランジＨＡに取付けられたものである。
【００３２】
上記のＨ鋼Ｗは建築物、構築物の骨組みを構成する構造物の一部であるが、その平面はそれ自体作業者が歩行する通路を兼用する場合もあり、あるいは通路に近接して設けている場合もある。
【００３３】
図１はストレートな通路と湾曲したコーナー部の通路に対応して手摺装置Ｔを配置した状態を示しているが、ストレートな通路のみの途中に設けても良い。
【００３４】
図１の手摺装置Ｔの基本構造は、建築、構築現場に設けたＨ鋼Ｗからなる被取付け部材に取付けられて起立する少なくとも二つ以上の支柱装置Ｐと、各支柱装置Ｐの支柱本体１上端と胴部にそれぞれ設けた手摺保持部材Ｘ、Ｘと、各手摺保持部材Ｘ、Ｘにそれぞれ横方向スライド自在に挿入した複数の独立した手摺Ｖ、Ｖと、各手摺Ｖ、Ｖの各端部間にスライド自在に挿入して隣同士の手摺Ｘ、Ｘの各端部を着脱自在に連結する複数の手摺連結部材Ｒ、Ｒと、各手摺Ｘ、Ｘの外周にスライド自在に取り付けられると共に手摺保持部材Ｘと手摺連結部材Ｒとの各外周を通過する命綱取付け用のガイドＺとを備えたものである。
【００３５】
そして、手摺保持部材Ｘと、手摺連結部材Ｒとはそれぞれ手摺Ｖに対する楔Ｋからなる緩み止め部材を有し、更に、命綱取付け用のガイドＺは手摺保持部材Ｘと手摺連結部材Ｒの各外周に当接しながら搖動するローラ２２ａ、２２ｂを有している。
【００３６】
具体的な一実施の形態に係る手摺装置Ｔは図１に示すように、建築、構築現場のコーナーに設けた左右のＨ鋼Ｗ、Ｗの外側端部に起立する左右一対の支柱装置Ｐ、Ｐと、Ｈ鋼Ｗ，Ｗの内側の端部に起立する中間の一対の支柱装置Ｐ，Ｐと、各左右の支柱本体１、１の上端に設けた各手摺保持部材Ｘ、Ｘにそれぞれ挿入した左右一対のストレートな手摺Ｖ、Ｖと、同じく中間の支柱本体１，１の上端に設けた手摺保持部材Ｘ、Ｘに挿入されて上記左右の手摺Ｖ、Ｖ間に配置して接続した中間の湾曲した手摺Ｖ１と、を有している。
【００３７】
また、左右の手摺Ｖ、Ｖの片側端部と中間の手摺Ｖ１の両端部にそれぞれスライド自在に挿入した左右一対の手摺連結部材Ｒ、Ｒと、を備えている。
【００３８】
図１の手摺装置Ｔによれば、Ｈ鋼ＷのフランジＨＡに予め左右の支柱本体１、１とコーナー部の二本の中間の支柱本体１，１とをそれぞれ挟持部材３を介して起立しておく。
【００３９】
次いで、左右の縦支柱１、１の上端と中間胴部に上下の手摺保持部材Ｘ，Ｘを介してそれぞれ二本ずつ左右の手摺Ｖ、Ｖを水平に挿入しておく。
【００４０】
更に、中間の支柱本体１、１にも上下二つの手摺保持部材Ｘ、Ｘを介して中間の二本の手摺Ｖ、Ｖを水平に挿入する。
【００４１】
次いで、左右の手摺Ｖ、Ｖに対して中間の手摺Ｖ１を左右の手摺連結部材Ｘ、Ｘｂを介して連結する。
【００４２】
この際予め一方の手摺、例えば、中間の手摺Ｖ１の両側に手摺連結部材Ｘ，Ｘを挿入しておき、この状態で左右の手摺Ｖ、Ｖをスライドして中間の手摺Ｖ１の端部に近づけ、次いで手摺連結部材Ｒ、Ｒをそれぞれ左右の手摺Ｖ、Ｖの端部に挿入することにより左右の手摺Ｖ、Ｖと中間の手摺Ｖ１とを接続する。
【００４３】
手摺Ｖ，Ｖ１にスライド自在に挿入した命綱取付け用のガイドＲは作業者の歩行に伴って手摺Ｖ、Ｖ１の外周に沿って移動し、どの位置でも常に作業者が命綱を介して手摺Ｖ、Ｖ１で支えられるようになっている。
【００４４】
図１には４本の支柱装置Ｐと三本の手摺Ｖ、Ｖ１を設けた状態が示されているが、通路の長さに応じて三本以上設けても良く、二本であっても使用可能である。
【００４５】
次に、各実施の一例に係る支柱装置Ｐについて詳述する。
【００４６】
上記のように、支柱装置Ｐは支柱本体１と挟持部材３とを備えているが、支柱本体１１は図２の実施の形態に示すように下部を湾曲していても良く、図４の実施の形態に示すようにストレートに成形しても良い。
【００４７】
図２のように支柱本体１の下部を湾曲させているのは、フランジＨＡより外側に支柱本体１を張り出させてフランジＨＡ上の面積を広くして作業者の歩行を容易にさせ、また工具、資材等の搬送を容易にさせるものである。
【００４８】
次に、各実施の形態に係る支柱装置Ｔについて説明する。
【００４９】
図２〜図１０は本発明の支柱装置Ｔの一実施の形態を示している。
【００５０】
この支柱装置Ｔは上記したように、下部を屈曲させた支柱本体１と、支柱本体１の下端に取付けた挟持部材２とを有し、支柱本体１の上端と胴部に手摺取付け用の手摺保持部材Ｘを設け、挟持部材２を介して床又はＨ鋼Ｗからなる梁のフランジＨＡに支柱本体１を起立させるものである。
【００５１】
上記挟持部材２は上片３Ａと下辺３Ｂとを備えた側面コ字状の固定金具３と、上辺３Ａに上下移動自在に取付けた締付部材４と、締付部材４の下端に下辺３に対向して設けた皿６と、皿６の下部に設けた板バネ７Ａからなるスプリング７とで構成されている。
【００５２】
締付部材４は図５〜図１０に示すように、上辺３Ａを貫通しながら当該上辺３Ａから起立する中空な外筒８と、外筒８内に上下スライド自在に挿入された内筒１０と、外筒８の蓋８Ａと内筒１０の上端に設けたナット１０Ａとに回転自在に挿入したボルト９と、ボルト９に螺合した弛み止めナット１１Ｂとを備え、また内筒１０の下端に皿６が溶接等で一体に取り付けられている。
【００５３】
ボルト９は螺子本体と頭部１１Ａを有し、頭部１１Ａは外筒８の蓋８Ａに回転自在に当接するようになっている。
【００５４】
ボルト９が螺合する緩め止めナット１１Ｂはこれを締め付けた時蓋８Ａの下面に回転自在に当接し、これらの頭部１１Ａと弛み止めナット１１Ｂとでボルト９が上下に移動しないように規制されている。
【００５５】
皿６は水平な本体６Ａと本体６Ａの外周から下方に向けて起立する環状の支持枠６Ｂとから構成されている。
【００５６】
スプリング７は波型に成形された板バネ７Ａからなり、この板バネ７Ａの基端がピン１２又は溶接等で皿６の本体６Ａの端部に固定されている。
【００５７】
固定金具３の上片３Ａと下辺３Ｂの外周には補強用のリブ３Ｎが複数設けられ、同じく下辺３Ｂの上面にもリブ３Ｍが複数設けられている。
【００５８】
また、上辺３Ａには支柱本体１に対向する孔５Ａが形成され、下辺３Ｂには外筒８に対向する開口部５Ｂが形成されている。
【００５９】
開口部５Ｂは外筒８内に内筒１０を下方から挿入する為に形成したものである。
【００６０】
挟持部材２の組み付け工程は図７に示す工程で達成される。
【００６１】
即ち、固定金具３の上辺３Ａに外筒８を予め溶接等で固定して起立しておく。
【００６２】
この状態で、下辺３Ｂの開口部５Ｂから内筒１０を上方に挿入して内筒１０を外筒８内に差し込む。
【００６３】
この状態で、皿６とこの更に取付けたスプリング７とを固定金具３の外方から水平に差込み、皿６の上面を内筒１０の下端に溶接で結合し、皿６とスプリング７を下辺３Ｂの上面に対向させる。
【００６４】
次に、外筒８の上側側部に形成した開口部８Ｂから弛み止めナット１１Ｂを水平にして差込み、この状態でボルト９を外筒８の蓋８Ａに形成した孔８Ｃを介してボルト９を差し込み、さらに、このボルト９を弛み止めナット１１Ｂに挿入すると共にこのナット１１Ｂを回転してボルト９に保持させる。
【００６５】
更に、ボルト９は内筒１０の上端ナット１０Ａにも挿入し、挟持部材２を図５の状態に組み付ける。
【００６６】
支柱装置ＰをＨ鋼ＷのフランジＨＡに起立させる場合は、図２に示すように、固定金具２をフランジＨＡに横方向から差し込む。
【００６７】
この状態で、ボルト９をその頭部１１Ａを介して回転するとこのボルト９に螺合しているナット１０Ａが下降し、これにより内筒１０と皿６とスプリング７が下降し、皿６とスプリング７がフランジＨＡに当接した時スプリング７が圧縮し、フランジＨＡが上側の皿６及びスプリング７と下側の下辺３Ｂとで強固に挟持され、固定金具２がフランジＨＡから抜けなくなるので必然的に支柱本体１がフランジＨＡ上に起立して保持される。
【００６８】
この際弛み止めナット１１ｂを締め付けてボルト９の緩み止めを行い、ボルト９や皿６が上方に移動するのを防止している。
【００６９】
逆に、フランジＨＡから支柱装置Ｐを撤去する場合は、緩め止めナット１１Ｂを緩め、次いで上記ボルト９の回転操作を上記と逆にし、内筒１０を上昇させ、皿６とスプリング７をフランジＨＡから離して挟持力を解消すれば良い。
【００７０】
上記の作動は内筒１０を外筒８に対してテレスコープ式に上下方向に伸縮させ、皿６とスプリング７を上下動させる操作であるが、固定金具２をフランジＨＡに差し込んだ時先に皿６とスプリング７をフランジＨＡの上面に当接しておき、この状態でボルト９を回動させながら下辺３Ｂを引き上げて良い。
【００７１】
上記の一実施の形態に係る支柱装置Ｐを利用した手摺装置Ｔにおいては、例えば、作業者が歩行中、又は作業中にフランジＨＡ等から足を踏み外して落下しそうになった時、その時作業者に巻きついている命綱が引っ張られて支柱装置Ｐが図１、図２の矢印Ｆ方向に傾斜する。
【００７２】
この時、固定金具２の上辺３Ａが下片３Ｂを支点にして同じ傾斜方向に回転して浮き上がるが、逆に上辺３Ａが浮き上がった隙間分スプリング７が復帰力で膨らみその下部が常にフランジＨＡの上面に当接するから、このスプリング７と下辺３ＢとでフランジＨＡを挟持するので固定金具２がフランジＨＡから外れるのが防止される。
【００７３】
その結果、支柱装置ＰもフランジＨＡから外れて落下することが防止され、作業者が地上に落下するのが防止され、歩行、作業の安全が図れる。
【００７４】
次に図１１〜図１３の他の実施の形態について説明する。
【００７５】
上記図１〜図１０の実施の形態は、締付部材４が外筒８と内筒１０とボルト９とからなるテレスコープ式の構造であり、皿６の下部に板バネ７Ａからなるスプリング７を設けたものであるが、図１１〜図１３の他の実施の形態に係る締付部材４はボル１５とこのボルト１５の下部に直接取り付けた皿６とスプリング７とからなるものである。
【００７６】
その他の支柱装置Ｐの構成は上記した図１〜図１０に示すものと同じである。
【００７７】
図１１、図１２の他の実施の形態に係る締付部材４は、上辺３Ａに固定したナット１４と、ナット１４に螺合されながら上記上辺３Ａを上下移動自在に貫通するボルト１５と、ボルト１５に螺合した弛み止めナット１３とから構成され、上記皿６を上記ボルト１５の下端にナット１６を介して取付けているものである
更に、皿６の下側には底面から見て十字状であり、側面から見てハの字の板バネ７Ｂからなるスプリング７が設けられ、この板バネ７Ｂはボルト１５の下端に螺合したナット１６と皿６とで挟持されている。
【００７８】
この締付部材４を利用した支柱装置９によれば、図１２に示すようにボルト１５を回動させなら当該ボルト１５と皿６と板バネ７Ｂを下降させ、皿６及び板バネ７Ｂと固定金具３の下辺３ｂとでフランジＨＡを挟持することにより支柱本体がフランジＨＡ上に起立する。
【００７９】
この状態で、例えば、作業者が歩行中、又は作業中にフランジＨＡ等から足を踏み外して落下しそうになった時、作業者に巻きついている命綱が引っ張られて支柱装置Ｐが図１２の矢印Ｆ方向に傾斜し、同時に固定金具２の上辺３Ａが下片３Ｂを支点にして回転して浮き上がるが、この時、逆に上辺３Ａが浮き上がった隙間分板バネ７Ｂの外周側が復元力で図１１の点線で示すように延びて突っ張り、フランジＨＡの上面に当接するから、この板バネ７Ｂと下辺３ＢとでフランジＨＡを挟持するので固定金具３がフランジＨＡから外れるのを防止される。
【００８０】
その結果、作業者が地上に落下するのが防止できる。
【００８１】
図１３の実施の形態に係る締付部材４は、上記図１１に示す実施の形態と基本構造が同じであり、相違する点はスプリング７として、コイルスプリング７Ｃを利用したものである。
【００８２】
即ち、図１３に示締付部材４は、上辺３Ａに固定したナット１４と、ナット１４に螺合されながら上記上辺３Ａを上下移動自在に貫通するボルト１５と、ボルト１５に螺合した弛み止めナット１３とから構成され、上記皿６を上記ボルト１５の下端に取付け、更に、皿６の下側にはコイルスプリング７Ｃからなるスプリング７が設けられている。
【００８３】
コイルスプリング７Ｃは皿６の下面に取付部材を介して固定しておくのが好ましい。
【００８４】
この締付部材４を利用した支柱装置９においても、図１２に示す場合と同じように、ボルト１５を回動させなら当該ボルト１５と皿６とコイルスプリング７Ｃを下降させ、皿６及びコイルスプリング７Ｃと固定金具３の下辺３ｂとでフランジＨＡを挟持することにより支柱本体がフランジＨＡ上に起立する。
【００８５】
この状態で、例えば、作業者が歩行中、又は作業中にフランジＨＡ等から足を踏み外して落下しそうになって時作業者に巻きついている命綱が引っ張られて支柱装置Ｐが図１２の矢印Ｆ方向に傾斜した場合、固定金具２の上辺３Ａが下片３Ｂを支点にして回転して浮き上がるが、この時、逆に上辺３Ａが浮き上がった隙間分コイルスプリング７Ｃが自己復帰力で延びて突っ張るから、このコイルスプリング７Ｃと下辺３ＢとでフランジＨＡを挟持するので固定金具３がフランジＨＡから外れるのを防止される。
【００８６】
上記の各実施の形態に係る支柱装置によれば、皿６の下部にスプリング７を取付けているので、外部荷重で支柱本体６と挟持部材４とが強制的に傾斜方向に引っ張られ、その結果固定金具２や皿６が変形して皿６とフランジＨＡとの間に隙間が発生しても、スプリング７がバネ力で伸長して常時フランジＨＡに当接して突っ張っているので挟持部材４がフランジＨＡから外れるのを防止でき、支柱装置Ｐ全体がフランジＨＡから脱落するのを防止できる。
【００８７】
その為、命綱を介して支柱装置２に支えられた建築、構築現場の作業者が床や梁からの落下を確実に防止できる。
【符号の説明】
【００８８】
１  支柱本体
２  挟持部材
３  固定金具
３Ａ  上辺
３Ｂ  下辺
４  締付部材
５
６  皿
７スプリング
７Ａ、７Ｂ  板バネ
７Ｃ  コイルスプリング
８  外筒
８Ａ  蓋
９  ボルト
１０  内筒
１０Ａ  ナット
１１Ｂ  ナット
１３  弛み止めナット
１５  ボルト
【図１】
2018087450.tif 000003
【図２】
2018087450.tif 000004
【図３】
2018087450.tif 000005
【図４】
2018087450.tif 000006
【図５】
2018087450.tif 000007
【図６】
2018087450.tif 000008
【図７】
2018087450.tif 000009
【図８】
2018087450.tif 000010
【図９】
2018087450.tif 000011
【図１０】
2018087450.tif 000012
【図１１】
2018087450.tif 000013
【図１２】
2018087450.tif 000014
【図１３】
2018087450.tif 000015